(57)【特許請求の範囲】
【請求項１】
無線基地局装置宛に信号を送信する無線送信部と、
無線基地局装置から信号を受信する無線受信部と、
無線基地局装置と無線リンクを確立するに当たって、無線基地局装置から受信する信号の中から、無線基地局装置から指示される、移動局の送信タイミングの進み量（正の値またはゼロ）を取得するタイミング取得部と、
無線送信部から無線基地局装置宛に送信される信号の送信タイミングを調整するタイミング処理部であって、前記進み量が正の値のときには、新たに送信する信号の送信タイミングを前に送信した信号の送信タイミングよりも前記進み量だけ早め、前記進み量がゼロのときには、新たに送信する信号の送信タイミングを前に送信した信号の送信タイミングよりも所定時間だけ遅延させる、タイミング処理部と、
を備えた移動局。
【請求項２】
前記タイミング処理部は、無線基地局装置から指示される進み量がゼロでなくなるまで、新たに送信する信号の送信タイミングを前に送信した信号の送信タイミングよりも所定時間だけ遅延させることを繰り返す、
請求項１に記載された移動局。
【請求項３】
移動局宛に信号を送信する無線送信部と、
移動局から信号を受信する無線受信部と、
各移動局から自装置と無線リンクを確立するための第１の信号を受信すると、その受信タイミングを検出し、各移動局に対して指示すべき送信タイミングの進み量（正の値またはゼロ）を検出するタイミング検出部と、
前記進み量をゼロとして指示すべき移動局の数が所定数を超えるか否か判定し、当該所定数を超える場合には、その後に各移動局から受信する信号の受信タイミングをすべて所定時間遅延させるタイミング処理部と、
を備えた無線基地局装置。
【請求項４】
前記進み量をゼロとして指示すべき移動局の情報を格納する情報格納部、をさらに備え、
前記タイミング処理部は、前記情報格納部を参照して、特定の移動局に対して進み量をゼロとして指示する回数が所定回数を超える場合には、進み量をゼロとして指示すべき移動局の数が前記所定数を超えたか否かを判定するに当たって、前記特定の移動局を除外する、
請求項３に記載された無線基地局装置。
【発明の詳細な説明】
【技術分野】
【０００１】
本発明は、移動局が無線基地局装置との間で無線リンクを確立するときのタイミング調整技術に関する。
【背景技術】
【０００２】
図１に示すような移動通信システムでは、移動局(UE)が無線基地局装置(eNB)との間で無線リンクを確立するに当たってのプロシージャが規定されているのが一般的である。例えば、３ＧＰＰにて標準化が進められている次世代移動通信システムであるＬＴＥ(Long Term Evolution)では、ランダムアクセスプロシージャと呼ばれるコネクション設定が規定されている。ＬＴＥのランダムアクセスプロシージャには、競合ベース(Contention based)のランダムアクセスプロシージャが規定されており、このランダムアクセスプロシージャのシーケンスを図２に示す。
【０００３】
図２に示すランダムアクセスプロシージャでは、移動局が先ず無線基地局装置宛に、ランダムアクセスチャネル(RACH: Random Access CHannel)を用いて、プリアンブルを含むメッセージ１を送信する（ステップＳ１）。
無線基地局装置は、移動局からプリアンブルを受信すると、予めプリアンブルとして記憶している信号パターンとこの受信したプリアンブルを比較することで、自装置と移動局の間の同期タイミングずれを算出する。すなわち、無線基地局装置は、同期タイミングずれの算出結果に基づき、移動局に対して指示すべき送信タイミングの進み量（正の値またはゼロ）を算出する。さらに無線基地局装置は、Ｌ２／Ｌ３（Layer2/Layer3）メッセージを送信するためスケジューリング等を行う。そして、無線基地局装置は、下りの共有チャネル(DL-SCH: Downlink-Shared CHannel)を用いて、プリアンブルに対する応答（プリアンブル応答）であるメッセージ２を送信する（ステップＳ２）。このメッセージ２には、送信タイミングの進み量を指示するためのＴＡ(Timing Advance)コマンドとスケジューリング情報等を含む。
移動局は、メッセージ２を受信すると、メッセージ２内のスケジューリング情報を参照し、スケジューリングされた無線リソースを用いてメッセージ３を送信する（ステップＳ３）。メッセージ３には、移動局の固有識別子(UE identifier)が含まれる。無線基地局装置は、メッセージ３を受信すると、移動局間で衝突が生じているか否かを判断して競合解決(contention resolution)を行うためのメッセージ４を移動局宛に送信する（ステップＳ４）。
【先行技術文献】
【非特許文献】
【０００４】
【非特許文献１】3GPP TS36.300 V9.3.0 (2010-03), 特に10.1.5章 Random Access Procedure
【非特許文献２】3GPP TS36.213 V9.3.0 (2010-03), 特に4.2.3章 Transmission timing adjustments
【発明の概要】
【発明が解決しようとする課題】
【０００５】
ところで、図１に示した移動通信システムでは、無線基地局装置とアンテナ装置とが、例えば数１０ｋｍ程度に及ぶケーブル（光ケーブル）で接続されている場合ある。この場合、無線基地局装置は、移動局との通信を行うに当たってケーブルによる伝送遅延を考慮して同期タイミングをとる。この点について図３を参照して説明する。
図３において、移動局と無線信号の送受信を直接行うアンテナ装置は、セルの中心付近に設けられるため、このアンテナ装置における信号のタイミングが移動局との間で信号の送受信を行うに当たっての基準タイミング（アンテナ端）となる。一方、アンテナ装置で送受信される信号は、無線基地局装置内の送受信データ処理部で処理される。この送受信データ処理部では、アンテナ装置と無線基地局装置の間の信号の遅延量Ｔを基準タイミング（アンテナ端）からキャンセルしたタイミングに基づいて信号処理を行う。このとき、基準タイミング（アンテナ端）に対して、ケーブルによる信号の遅延量Ｔを考慮したタイミングを、基準タイミング（アンテナ端）と区別し、以下の説明では「処理基準タイミング」という。光ケーブルを適用する場合、信号伝送による遅延量は、例えば１０ｋｍ当たり数１０μｓである。
【０００６】
無線基地局装置では、上述したケーブルによる信号の遅延量Ｔを予め設定され、移動局との間の信号処理に当たって参照される。しかしながら、この遅延量Ｔが誤っている場合、あるいは移動局が故障している場合には、移動局が無線基地局装置との間で無線リンクを確立するときに、両者の同期タイミングずれが解消できないという問題がある。この問題は、規定上、ＴＡコマンドによって移動局の送信タイミングを遅延させるという指示を出すことができないことに起因する。以下、この問題について、図４〜６を参照して説明する。
【０００７】
図４は、（ａ）正常な場合、（ｂ）移動局が故障している場合、（ｃ）遅延量の設定が誤っている場合、のそれぞれについて、基準タイミング（アンテナ端）と無線基地局装置の処理基準タイミングを示す図である。図４では、各場合において、基準タイミング（アンテナ端）を基準としたときに移動局から無線基地局装置が受信するメッセージ１（図２参照）の受信タイミングが記載されている。図４では、メッセージ１に対して前方にＣＰ(Cyclic Prefix)が付加される場合が示される。
【０００８】
図４（ａ）の場合には、基準タイミングに対して遅延量Ｔだけ遅延したタイミングで無線基地局装置の処理基準タイミングが設定されている。この処理基準タイミングに対して無線区間の遅延（つまり、移動局とアンテナ装置の間の電波の伝播に相当する遅延）の分だけずれたタイミングでプリアンブルが受信される。つまり、無線基地局装置において遅延量が正しく設定されていれば、無線区間の遅延に相当する時間だけ移動局の送信タイミングを早めるように移動局に指示がなされる。つまり、ＴＡコマンドによって移動局に対して指示される進み量が、無線区間の遅延に相当する時間（正の値）となる。
【０００９】
図４（ｂ）の場合も（ａ）と同様に、基準タイミングに対して遅延量Ｔだけ遅延したタイミングで無線基地局装置の処理基準タイミングが設定されているが、（ｂ）では、移動局の故障により移動局の送信タイミングが正常時よりも早くなった場合が想定される。この場合には、図４（ｂ）に示すように、無線基地局装置の処理基準タイミングよりもメッセージ１の受信タイミングが早くなる場合が生じうる。ここで、ＴＡコマンドでは、移動局に対して送信タイミングを遅延させる指示を出すことができないため、移動局に対して指示される進み量はゼロとなる。
【００１０】
図４（ｃ）の場合には、無線基地局装置の遅延量の設定が誤っている場合が想定されている。ここでは、正しい遅延量Ｔ（（ａ）の場合）よりも大きい遅延量Ｔ’（Ｔ’＞Ｔ）が設定されているものとする。このような場合には、移動局の正常でありその送信タイミングが（ａ）の場合と同一であっても、誤った遅延量に基づく処理基準タイミングを基準とすると、無線基地局装置の処理基準タイミングよりもメッセージ１の受信タイミングが早くなる場合が生じうる。ここで、ＴＡコマンドでは、移動局に対して送信タイミングを遅延させる指示を出すことができないため、移動局に対して指示される進み量はゼロとなる。
【００１１】
以上説明したように、無線基地局装置では、ケーブルによる信号の遅延量が誤っている場合、あるいは移動局が故障している場合には、ＴＡコマンドによって移動局に対して指示される送信タイミングの進み量はゼロとなる。送信タイミングの進み量がゼロであると、移動局において送信タイミングが是正されず、両者の同期タイミングずれが解消できない。
【００１２】
よって、発明の１つの側面では、移動局が無線基地局装置との間で無線リンクを確立するときに、移動局と無線基地局装置の間でより確実に同期タイミングをとることを可能にする移動局、無線基地局装置を提供することを目的とする。
【課題を解決するための手段】
【００１３】
第１の観点では、
無線基地局装置宛に信号を送信する無線送信部；
無線基地局装置から信号を受信する無線受信部；
無線基地局装置と無線リンクを確立するに当たって、無線基地局装置から受信する信号の中から、無線基地局装置から指示される、移動局の送信タイミングの進み量（正の値またはゼロ）を取得するタイミング取得部；
無線送信部から無線基地局装置宛に送信される信号の送信タイミングを調整するタイミング処理部であって、上記進み量が正の値のときには、新たに送信する信号の送信タイミングを前に送信した信号の送信タイミングよりも上記進み量だけ早め、上記進み量がゼロのときには、新たに送信する信号の送信タイミングを前に送信した信号の送信タイミングよりも所定時間だけ遅延させる、タイミング処理部；
を備えた移動局が提供される。
【００１４】
第２の観点では、
移動局宛に信号を送信する無線送信部；
移動局から信号を受信する無線受信部；
各移動局から自装置と無線リンクを確立するための第１の信号を受信すると、その受信タイミングを検出し、各移動局に対して指示すべき送信タイミングの進み量（正の値またはゼロ）を検出するタイミング検出部；
前記進み量をゼロとして指示すべき移動局の数が所定数を超えるか否か判定し、当該所定数を超える場合には、その後に各移動局から受信する信号の受信タイミングをすべて所定時間遅延させるタイミング処理部；
を備えた無線基地局装置が提供される。
【発明の効果】
【００１５】
開示の移動局、無線基地局装置によれば、移動局が無線基地局装置との間で無線リンクを確立するときに、移動局と無線基地局装置の間でより確実に同期タイミングをとることが可能となる。
【図面の簡単な説明】
【００１６】
【図１】移動局、アンテナ装置および無線基地局装置を含む移動通信システムの概略構成を示す図。
【図２】移動通信システムにおけるランダムアクセスプロシージャのシーケンス図。
【図３】アンテナ装置と無線基地局装置の間の伝送遅延を説明するための図。
【図４】基準タイミング（アンテナ端）と無線基地局装置の処理基準タイミングのずれに関し、従来の課題を説明するための図。
【図５】ランダムアクセスプロシージャにおける移動局、アンテナ装置および無線基地局装置の間の信号の送受信の一例を示すタイミングチャート。
【図６】ランダムアクセスプロシージャにおける移動局、アンテナ装置および無線基地局装置の間の信号の送受信の一例を示すタイミングチャート。
【図７】第１の実施形態のタイミング調整方法に係る、ランダムアクセスプロシージャにおける移動局、アンテナ装置および無線基地局装置の間の信号の送受信の一例を示すタイミングチャート。
【図８】第１の実施形態の移動局の構成の一例を示すブロック図。
【図９】第１の実施形態の無線基地局装置の構成の一例を示すブロック図。
【図１０】第１の実施形態の移動局において、ランダムアクセスプロシージャにおける動作を示すフローチャート。
【図１１】図１０に示す動作に伴って無線基地局装置で受信されるメッセージおよび受信データの受信タイミングの変化を時刻の経過に沿って示す図。
【図１２】第２の実施形態のタイミング調整方法による、無線基地局装置で受信されるメッセージおよび受信データの受信タイミングの変化を時刻の経過に沿って示す図。
【図１３】第２の実施形態の無線基地局装置の構成の一例を示すブロック図。
【図１４】第２の実施形態の無線基地局装置において、ランダムアクセスプロシージャにおける動作を示すフローチャート。
【図１５】第３の実施形態の無線基地局装置の構成の一例を示すブロック図。
【図１６】第３の実施形態の無線基地局装置において、ランダムアクセスプロシージャにおける動作を示すフローチャート。
【発明を実施するための形態】
【００１７】
以下、複数の実施形態について説明する。なお、図２におけるメッセージ１、メッセージ２、メッセージ３はそれぞれ、第１の信号、第２の信号、第３の信号の一例である。しかしながら、図２に示したランダムアクセスプロシージャは、シーケンス初期のフェーズの一例を示すに過ぎず、第１の信号、第２の信号、第３の信号は図２に示す例に限定されない。無線基地局装置が自装置の基準となるタイミングとのずれを測定するために移動局から受信する如何なる信号も、第１の信号となり得る。移動局の送信タイミングの調整量を指示するための情報を含む如何なる信号も、第２の信号となり得る。無線基地局装置からの指示において送信タイミングを調整して送信する如何なる信号（調整量＝０の信号も含む。）も、第３の信号となり得る。
【００１８】
（１）第１の実施形態
（１−１）実施形態のタイミング調整方法
本実施形態のタイミング調整方法は、移動通信システムにおけるランダムアクセスプロシージャにおいて、移動局と無線基地局装置の間でより確実に同期タイミングをとれるようにしたものである。ランダムアクセスプロシージャでは、無線基地局装置から送出されるＴＡコマンドによって移動局に対して送信タイミングの進み量（正の値またはゼロ）が指示される。以下の説明では、この進み量（正の値またはゼロ）を「ＴＡ」あるいは「ＴＡ値」と適宜表記する。従来のランダムアクセスプロシージャにおいて、移動局と無線基地局装置の間の同期タイミングずれが解消されない場合があるのは、無線基地局装置が移動局に対して送信タイミングの進み量（正の値またはゼロ）の指示のみが可能であり、送信タイミングを遅延させる指示を出すことができないことに起因する。そこで、本実施形態のタイミング調整方法では、移動局が無線基地局装置から、進み量をゼロとする指示を受信すると、その後の送信タイミングを所定時間だけ遅延させる処理を行うことで、新たに無線基地局装置によって指示される進み量が正の値となるようにする。
【００１９】
以下では先ず、ランダムアクセスプロシージャにおける移動局、アンテナ装置および無線基地局装置（システム構成について図１参照）の間の信号の送受信を示すタイミングについて、図５〜７を参照して説明する。ここでは、本実施形態のタイミング調整方法の理解を容易にする目的で、図５に正常時のタイミングチャートを、図６に従来において移動局と無線基地局装置の間の同期タイミングずれが解消されない場合についてのタイミングチャートを、図７に本実施形態のタイミング調整方法によるタイミングチャートを、それぞれ示す。図５〜７はすべて横軸が時間(time)軸となっている。図５〜７では、移動局と無線基地局装置の間のメッセージの送受信が図２のシーケンスに従ったものとなっており、図２に記載した符号（Ｓ１〜Ｓ４）と同一符号を付している。以下の説明および参照される各図では、各メッセージの前方にはＣＰ(Cyclic Prefix)が付加されている場合を想定するが、これに限られない。
なお、ここで想定される移動通信システムでは、図１に示したように、アンテナ装置と無線基地局装置が比較的長距離のケーブルによって接続されており、両者の間でケーブルによる信号伝送時間に起因した送受信タイミングの遅延が存在する。
【００２０】
図５の正常時のタイミングチャートにおいては先ず、移動局からランダムアクセスチャネルによって送信されるプリアンブル（メッセージ１）がアンテナ装置を経由して無線基地局装置において受信される（ステップＳ１）。アンテナ装置と無線基地局装置の間の信号伝送時間に応じて予め無線基地局装置には遅延量が設定されており、メッセージ受信時には、アンテナ装置の基準タイミングに対して遅延量の分だけ後のタイミングで、無線基地局装置の処理基準タイミングが設定されている。このとき、無線基地局装置の処理基準タイミングを基準としたときには、プリアンブル（メッセージ１）は、処理基準タイミングに対して移動局とアンテナ装置の間の電波の伝播時間（無線区間の遅延時間）だけ遅延して、無線基地局装置で受信される。メッセージ１に応じて無線基地局装置がプリアンブルに対する応答（プリアンブル応答）であるメッセージ２を送信する（ステップＳ２）。このメッセージ２には、移動局による送信タイミングの進み量（正の値）を指示するためのＴＡコマンドが含まれる。図５の場合には、この進み量の値は、上記無線区間の遅延時間に相当する値となっている。
【００２１】
移動局は、メッセージ２を受信すると、ＴＡコマンドによって指示される送信タイミングの進み量（ＴＡ値）だけメッセージ１の送信タイミングよりも早めるようにして、メッセージ３を送信する（ステップＳ３）。このメッセージ３には、移動局の固有識別子(UE identifier)が含まれる。メッセージ３の送信タイミングがＴＡ値だけ早められたため、ステップＳ１とは異なり、無線基地局装置では、メッセージ３を処理基準タイミングと同期して受信することになる。その後、無線基地局装置は、移動局間で衝突が生じているか否かを判断して競合解決(contention resolution)を行うためのメッセージ４を移動局宛に送信する（ステップＳ４）。
【００２２】
一方、図６の場合には、ステップＳ１で移動局から送信されるメッセージ１が無線基地局装置において、処理基準タイミングよりも早いタイミングで受信される。無線区間の遅延時間が存在するため、正常時のタイミング調整では、移動局の送信タイミングを早める指示を行うＴＡコマンドのみで足りる。しかしながら、無線基地局装置とアンテナ装置の間のケーブルによる信号の遅延量の設定が誤っている場合、あるいは移動局が故障する場合等によって意図したタイミングでメッセージを送信できない場合等には、従来のタイミング調整方法では、移動局と無線基地局装置の間の同期タイミングずれが解消されない。図６では、例えば無線基地局装置とアンテナ装置の間のケーブルによる信号の遅延量の設定が誤っている場合が想定されており、この場合には、無線基地局装置は、処理基準タイミングよりも早く移動局からのメッセージ１を受信する場合がある。ここで、ＴＡコマンドでは、移動局の送信タイミングを遅延させる指示を出すことが想定されておらず、このような場合のＴＡ値はゼロ（ＴＡ＝０）となる。
【００２３】
図６において、メッセージ２を受信すると、ＴＡコマンドによって指示される送信タイミングの進み量（ＴＡ値）がゼロであるため、移動局は、送信タイミングを変更することなくメッセージ３を送信する。そのため、図６に示すように、処理基準タイミングを基準とした無線基地局装置におけるメッセージ受信タイミングは、メッセージ１の受信とメッセージ３の受信とで同一である。つまり、同期タイミングずれが解消されていない。
【００２４】
次に図７を参照すると、本実施形態のタイミング調整方法では、以下のとおりである。
図７に示すように、図６の場合と同様、ステップＳ１で移動局から送信されるメッセージ１が無線基地局装置において、処理基準タイミングよりも早いタイミングで受信される場合が想定される。この場合に、ステップＳ２において移動局に与えられるＴＡコマンドで指示されるＴＡ値はゼロである。
【００２５】
移動局は、ＴＡ値がゼロであること（ＴＡ＝０）を検出すると、ステップＳ３において、メッセージ１を送信したときよりも所定時間αだけ遅延させてメッセージ３を送信する。これにより、処理基準タイミングを基準とした無線基地局装置におけるメッセージ３の受信タイミングは、メッセージ１の受信タイミングよりも所定時間αだけ遅延させられ、処理基準タイミングよりも後のタイミングとなり得る。そして、無線基地局装置は、ステップＳ４以降の任意の移動局宛の下りデータ（ＤＬ(Down-Link)データ）（図７では、ステップＳ５）において、ステップＳ３の受信タイミングに基づくＴＡ値のＴＡコマンドに含ませる。この新たなＴＡ値は、正の値となっている。この新たなＴＡ値を取得した移動局では、ＴＡ値が示す送信タイミングの進み量（正の値）だけ送信タイミングを早めるようにして、上りデータ（ＵＬ(Up-Link)データ）を送信する（ステップＳ６）。ステップＳ６の上りデータの送信タイミングがＴＡ値だけ早められた結果、ステップＳ３とは異なり、無線基地局装置では、ステップＳ６の上りデータを処理基準タイミングと同期して受信することになる。
【００２６】
以上説明したように、本実施形態のタイミング調整方法によれば、移動局は、無線基地局装置との間の無線リンクを確立するときに、無線基地局装置から送信タイミングの進み量をゼロとする指示を受信すると、その後の送信タイミングを所定時間だけ遅延させる処理を行う。これにより、その後に無線基地局装置によって新たに指示される進み量が正の値となり得る。そのため、移動局と無線基地局装置との間の無線リンクを確立するときに、無線基地局装置からゼロまたは正の値の進み量（ＴＡ値）を含む送信タイミングの指示を出すことのみが可能な場合であっても、移動局と無線基地局装置の間の同期タイミングずれを解消することができる。
【００２７】
（１−２）移動局および無線基地局装置の構成
次に、本実施形態の移動局および無線基地局装置の構成について、図８および図９を参照して説明する。なお、図８および図９を参照した各構成の説明では適宜、ＬＴＥ（Long Term Evolution）に従った通信仕様、すなわち、下り通信がＯＦＤＭ(Orthogonal Frequency Division Multiplexing)、上り通信がＳＣ−ＦＤＭＡ(Single Carrier-Frequency Division Multiple Access)を採る場合の例について言及するが、通信仕様は、これらの方式に限定されない。
【００２８】
先ず図８を参照すると、本実施形態の移動局は、受信アンテナ１１と、無線受信部１２と、復調部１３と、受信データ処理部１４と、ＴＡコマンド検出部１５と、送信タイミング処理部１６と、送信データ処理部１７と、変調部１８と、送信タイミング制御部１９と、無線送信部２０と、送信アンテナ２１とを備える。なお、移動局において、受信アンテナ１１、無線受信部１２、無線送信部２０および送信アンテナ２１以外の構成要素については、例えばＤＳＰ(Digital Signal Processor)等のデジタル回路によって構成されうる。また、ＴＡコマンド検出部１５は、タイミング取得部の一例である。
【００２９】
無線受信部１２は、帯域制限フィルタ、ローノイズアンプ（ＬＮＡ: Low Noise Amplifier）、ローカル周波数発信器、直交復調器、ＡＧＣ(Automatic Gain Control)アンプ、Ａ／Ｄ(Analog to Digital)変換器などを含む。無線受信部１２は、受信アンテナ１１で受信した無線信号に対してダウンコンバート処理およびＡ／Ｄ変換等を行うことで、無線信号をデジタルベースバンド信号に変換する。
復調部１３は、無線受信部１２により得られたデジタルベースバンド信号に対してＦＦＴ(Fast Fourier Transform)処理を行うことで周波数領域信号を生成する。さらに復調部１３は、無線基地局装置からの共通チャネルの情報、あるいは自局宛に割り当てられたチャネルの情報を周波数領域信号から抽出して復調処理を施すことで、無線基地局装置からの受信データを取得する。受信データである無線基地局装置からのメッセージまたは下りデータは、上位レイヤの処理のために受信データ処理部１４へ送出される。
【００３０】
ＴＡコマンド検出部１５は、無線基地局装置からのメッセージまたは下りデータに含まれるＴＡコマンドを検出して、ＴＡ値（送信タイミングの進み量）を取得する。
送信タイミング処理部１６は、ＴＡコマンド検出部１５によって取得されたＴＡ値に基づいて、移動局から無線基地局装置宛に送信されるメッセージあるいはデータの送信タイミングを調整する処理を行う。具体的には、送信タイミング処理部１６は、取得したＴＡ値が正の値である場合には、その正の値のＴＡ値に相当する時間だけ送信タイミングを早めるように送信タイミングを制御することを、送信タイミング制御部１９へ指示する。また、送信タイミング処理部１６は、取得したＴＡ値がゼロである場合には、所定時間だけ送信タイミングを遅延させるように送信タイミングを制御することを、送信タイミング制御部１９へ指示する。
【００３１】
変調部１８は、送信データ処理部１７から与えられる送信データ、つまり無線基地局装置宛のメッセージや上りデータについて所定の変調処理を行う。変調部１８は、自局が無線基地局装置から複数の周波数を割り当てられていれば、各周波数へのマッピング処理、および、ＩＦＦＴ(Inverse-FFT)による時間領域信号（送信信号）への変換処理を行う。なお、移動局は、無線基地局装置との間で無線リンクを確立しようとする場合には、無線基地局装置から個別の周波数が割り当てられていないため、ランダムアクセスチャネルを用いて無線基地局装置へプリアンブル（メッセージ１）等を送信するように、変調部１８が設定されている。
送信タイミング制御部１９は、送信タイミング処理部１６からの指示に基づいて、無線基地局装置宛の送信タイミングを早める、あるいは遅延させる処理を行う。
【００３２】
無線送信部２０は、Ｄ／Ａ(Digital to Analog)変換器、ローカル周波数発信器、ミキサ、パワーアンプ、フィルタ等を備える。無線送信部２０は、タイミング制御がなされた送信信号に対してＣＰを付加する処理を行った後、Ｄ／Ａ変換およびアップコンバート処理等を行うことで無線信号を生成して、送信アンテナ２１から空間へ放射する。
【００３３】
次に図９を参照すると、本実施形態の無線基地局装置は、受信アンテナ３１と、無線受信部３２と、復調部３３と、受信データ処理部３４と、受信タイミング検出部３５と、受信タイミング処理部３６と、送信データ処理部３８と、変調部３９と、無線送信部４０と、送信アンテナ４１とを備える。なお、無線基地局装置において、受信アンテナ３１、無線受信部３２、無線送信部４０および送信アンテナ４１以外の構成要素については、例えばＤＳＰ等のデジタル回路によって構成されうる。
また、図９に示す構成は、アンテナ装置を包含したものとなっている。図９では、例えば、受信アンテナ３１、無線受信部３２、無線送信部４０および送信アンテナ４１がアンテナ装置に対応する。
【００３４】
無線受信部３２は、帯域制限フィルタ、ローノイズアンプ、ローカル周波数発信器、直交復調器、ＡＧＣアンプ、Ａ／Ｄ変換器などを含む。無線受信部３２は、受信アンテナ３１で受信した無線信号に対してダウンコンバート処理およびＡ／Ｄ変換等を行うことで、無線信号をデジタルベースバンド信号に変換する。
復調部３３は、無線受信部３２により得られたデジタルベースバンド信号に対してＦＦＴ処理を行うことで周波数領域信号を生成する。さらに復調部３３は、特定の移動局に割り当てられたチャネルの情報、あるいはランダムアクセスチャネルの情報を周波数領域信号から抽出して復調処理を施すことで、その特定の移動局からの受信データを取得する。受信データである移動局からのメッセージまたは上りデータは、上位レイヤの処理のために受信データ処理部３４へ送出される。
【００３５】
受信タイミング検出部３５は、移動局からのメッセージおよび上りデータの受信タイミングを検出する。
受信タイミング処理部３６は、受信タイミング検出部３５によって検出された受信タイミングと自装置の処理基準タイミングを比較する。その結果、受信タイミングが処理基準タイミングと一致しているか、または遅延している場合には、受信タイミング処理部３６は、その遅延量に応じたＴＡ値（ゼロまたは正の値）を送信データ処理部３８へ通知する。受信タイミングが処理基準タイミングよりも進んでいる場合には、受信タイミング処理部３６は、ゼロのＴＡ値を送信データ処理部３８へ通知する。なお、処理基準タイミングは、アンテナ装置と無線基地局装置とがケーブルを介して離間して配置されている場合に、そのケーブルによる信号伝送時間に応じた遅延量が考慮されて予め設定されている。
【００３６】
送信データ処理部３８は、移動局宛の各種メッセージ、下りデータのほか、受信タイミング処理部３６から通知されるＴＡ値を含むＴＡコマンドを含む移動局宛のメッセージ等の送信データを生成する。
変調部３９は、送信データ処理部３８から与えられる送信データについて所定の変調処理を行う。変調部３９は、移動局に対して特定の無線リソースが割り当てられていれば、その無線リソースへのマッピング処理、および、ＩＦＦＴによる時間領域信号（送信信号）への変換処理を行う。なお、移動局に対して無線リソースが割り当てられていない場合には、下り共有チャネルを用いて移動局宛にメッセージを送信するように、変調部３９が設定されている。
【００３７】
無線送信部４０は、Ｄ／Ａ(Digital to Analog)変換器、ローカル周波数発信器、ミキサ、パワーアンプ、フィルタ等を備える。無線送信部４０は、変調部３９から送出される送信信号に対してＣＰを付加する処理を行った後、Ｄ／Ａ変換およびアップコンバート処理等を行うことで無線信号を生成して、送信アンテナ４１から空間へ放射する。
【００３８】
（１−３）移動局の動作
次に、本実施形態の移動局の動作について、図１０および図１１を参照して説明する。図１０は、ランダムアクセスプロシージャにおける本実施形態の移動局の動作を示すフローチャートである。図１１は、図１０に示す動作に伴って無線基地局装置で受信されるメッセージおよび受信データの受信タイミングの変化を、（ａ），（ｂ），（ｃ）の順に時刻の経過に沿って示す図である。
【００３９】
図１０において、移動局のＴＡコマンド検出部１５では、無線基地局装置からのメッセージまたは下りデータに含まれるＴＡコマンドを検出すると（ステップＳ１０）、そのＴＡコマンドによって指示されるＴＡ値（送信タイミングの進み量）を取得する。移動局の送信タイミング処理部１６は、取得されたＴＡ値（正の値またはゼロ）がゼロ（つまり、ＴＡ＝０）である場合（ステップＳ１２のＹｅｓ）、所定時間αだけ新たに無線基地局装置宛に送信するメッセージ、上りデータの送信タイミングを遅延させる処理を行う（ステップＳ１４）。
【００４０】
一方、移動局の送信タイミング処理部１６は、取得されたＴＡ値が正の値（つまり、ＴＡ≠０）である場合（ステップＳ１２のＮｏ）、ＴＡ値が示す時間だけ送信タイミングを早める処理を行う（ステップＳ１６）。ＴＡ≠０の場合には、無線基地局装置におけるメッセージ１（プリアンブル）の受信タイミングが処理基準タイミングよりも遅延していることを意味する。この場合には、システムが正常に機能している（例えば、無線基地局装置の遅延量の誤設定、移動局の故障等がない）と考えられるため、送信タイミング処理部１６は、正の値のＴＡ値だけ送信タイミングを早める上記ステップＳ１６の処理を行う。これにより、移動局とアンテナ装置の間の無線区間の伝送遅延に伴う同期タイミングずれが解消される。
ステップＳ１６を経た後は、既にＴＡ≠０となっているＴＡコマンドを検出しているため、ステップＳ２０へ進む（ステップＳ１８のＹｅｓ）。
【００４１】
ステップＳ１４を経た後、ＴＡ≠０となっているＴＡコマンドを検出していない場合には、ステップＳ１０へ戻る（ステップＳ１８のＮｏ）。遅延量αの設定が小さい場合には、一度の送信タイミングの遅延では、その後に取得するＴＡ値がゼロのままであることが想定される。そのような場合には、一度でもＴＡ≠０となるＴＡ値を取得するまで、ステップＳ１０→Ｓ１２→Ｓ１４の処理が繰り返され、逐次送信タイミングの遅延量が大きくなっていく。
【００４２】
一度でもＴＡ≠０となっているＴＡコマンドを検出した場合にはステップＳ２０へ進み、新たなＴＡコマンドを検出する（ステップＳ２０）。新たなＴＡコマンドを検出すると、移動局の送信タイミング処理部１６は、取得されたＴＡ値がゼロ（つまり、ＴＡ＝０）である場合（ステップＳ２２のＹｅｓ）、送信タイミングを維持する（ステップＳ２４）。この場合には、移動局と無線基地局装置の間の同期タイミングが既にとれているため、移動局は、現在の送信タイミングを維持する。
一方、移動局の送信タイミング処理部１６は、取得されたＴＡ値が正の値（つまり、ＴＡ≠０）である場合（ステップＳ２２のＮｏ）、ＴＡ値が示す時間だけ送信タイミングを早める処理を行う（ステップＳ２６）。これにより、移動局と無線基地局装置の間の同期タイミングがとれるようになる。例えば、図１１の（ｃ）に示す例では、メッセージ３に続く移動局からの上りデータの送信タイミングがＮＴＡだけ早められ、無線基地局装置においてその上りデータの受信データが処理基準タイミングと一致するようになる。
【００４３】
（１−４）好ましいαの設定の一例
以下、好ましいαの設定の一例について説明する。
例えばプリアンブルの前方にＣＰを付加して送信する場合、そのＣＰはプリアンブルのうち最後の所定量のデータがコピーして付加されるため、無線基地局装置は、処理基準タイミングがＣＰの受信期間とオーバラップしていれば、プリアンブルを正しく受信できる。処理基準タイミングから見てＣＰの長さ以上にメッセージ１の受信タイミングが進んでいる場合には、プリアンブルを正しく受信できず、無線基地局装置は、プリアンブル応答であるメッセージ２を移動局宛に送信することはできない。つまり、処理基準タイミングからのメッセージ１の受信タイミングの進み量が最大でもＣＰの長さ以下となる場合に、無線基地局装置は、メッセージ２を送信でき、移動局の送信タイミングの遅延によって同期タイミングをとることができる。そのため、移動局の送信タイミングの遅延量αの最大値は、ＣＰの長さの最小値（例えば、ＬＴＥでは最小幅１００μｓ）以下とすることが、タイミング調整が有効に機能する観点から好ましい。一方、ＴＡコマンドで設定可能なＴＡ値の単位（例えば、アンテナ装置から受信する信号処理におけるサンプリング時間；例えば０．５２μｓ）を考慮すると、αの好ましい範囲の一例は、０．５２μｓ〜１００．５２μｓとすることができる。
【００４４】
（２）第２の実施形態
以下、第２の実施形態について説明する。
【００４５】
（２−１）実施形態のタイミング調整方法
本実施形態の移動通信システムでは、無線基地局装置が複数の移動局との間で無線リンクを確立するときに、後述する所定の条件を満足するときに、すべての移動局からのメッセージまたは上りデータの受信タイミングを無線基地局装置側で所定時間遅延させる。これによって、移動局と無線基地局装置の間の同期タイミングずれを解消するようにする。このとき、すべての移動局からのメッセージまたは上りデータの受信タイミングを無条件に遅延させてしまうと、正常な場合（無線基地局装置とアンテナ装置の間のケーブルによる信号の遅延量の設定が適切であり、すべての移動局が故障していない場合等）にも関わらず、受信処理が遅延することになり好ましくない。そこで、所定の条件（ＴＡ＝０と指示すべき移動局の数が所定数を超えること）を満足する場合に、すべての移動局からのメッセージまたは上りデータの受信タイミングを無線基地局装置側で所定時間遅延させるようにする。
【００４６】
図１２は、本実施形態のタイミング調整方法による、無線基地局装置で受信されるメッセージおよび受信データの受信タイミングの変化を、（ａ），（ｂ），（ｃ）の順に時刻の経過に沿って示す図である。図１２では、説明の便宜上、複数の移動局からランダムアクセスプロシージャが同時に開始された場合を示す図となっているが、個々の移動局が別々のタイミングでプリアンブルを送信する場合も同様である。
【００４７】
図１２（ａ）を参照すると、５個の移動局からランダムアクセスプロシージャにおけるメッセージ１（プリアンブル）を無線基地局装置が受信した場合が示される。ここで、５個の移動局ＵＥ＃１〜＃５からそれぞれ、メッセージ１として受信したプリアンブルをプリアンブル＃１〜＃５とする。図１２（ａ）に示すように、５個のプリアンブル＃１〜＃５のうち、４個のプリアンブル＃１，＃２，＃４，＃５の受信タイミングは、無線基地局装置の処理基準タイミングよりも進んでいるため、移動局ＵＥ＃１，＃２，＃４，＃５に対して算出されるＴＡ値はゼロとなる。
【００４８】
ここで、すべての移動局からのメッセージまたは上りデータの受信タイミングを無線基地局装置側で所定時間遅延させる条件として、ＴＡ＝０と指示すべき移動局の数が２個を超えることである場合を想定する。この場合、図１２（ａ）に示した状況は、条件を満足する。そこで、上記条件を満足した後は、移動局から受信する信号の受信タイミングをすべて所定時間（遅延量）αだけ遅延させる。その結果、図１２（ｂ）に示すように、例えば、図１２に例示したすべての移動局からのメッセージ３の受信タイミングは、処理基準タイミングよりも遅延することになるので、無線基地局装置で算出されるＴＡ値はすべての移動局ＵＥ＃１〜＃５に対して正の値となる。このＴＡ値を含むＴＡコマンドに応じて各移動局が送信タイミングをＴＡ値に相当する時間だけ早めることで、メッセージ３に続いて各移動局から受信する上りデータ（受信データの＃１〜＃５）の受信タイミングは、処理基準タイミングと同期するようになる。
【００４９】
（２−２）無線基地局装置の構成
次に、本実施形態の無線基地局装置の構成について、図１３を参照して説明する。なお、本実施形態の移動局の構成は、図８に示したものと同一でよい。また、図１３に示した各構成要素において、図９に示したものと同一の構成要素については、特記しない限り、同一の符号を付して重複説明を省略する。
【００５０】
図１３に示すように、本実施形態の無線基地局装置の構成は、図９に示したものに対して、無線受信部３２と復調部３３の間に受信タイミング制御部３７が追加される。受信タイミング制御部３７は、受信タイミング処理部３６からの指示に応じて、無線受信部３２から送出される移動局からのメッセージまたは上りデータの受信タイミングをすべて所定時間だけ遅延させる処理を行う。
また、図１３に示す無線基地局装置において、受信タイミング処理部３６は、ランダムアクセスプロシージャのプリアンブル（メッセージ１）の受信タイミングが自装置の処理基準タイミングよりも進んでいる移動局の数、つまりＴＡ＝０と指示すべき移動局の数、を計数するカウンタを備える。そして、受信タイミング処理部３６は、カウンタの値が所定数を超える場合には、受信タイミング制御部３７に対して、移動局からのメッセージまたは上りデータの受信タイミングをすべて所定時間だけ遅延させることを指示する。
【００５１】
（２−３）無線基地局装置の動作
次に、本実施形態の無線基地局装置の動作について、図１４を参照して説明する。図１４は、ランダムアクセスプロシージャにおける本実施形態の無線基地局装置の動作を示すフローチャートである。
図１４において先ず、無線基地局装置の受信タイミング検出部３５は、各移動局からのメッセージおよび上りデータの受信タイミングを検出する（ステップＳ３０）。無線基地局装置の受信タイミング処理部３６は、受信タイミング処理部３６は、検出された受信タイミングと自装置の処理基準タイミングを比較し、各移動局宛のＴＡコマンドに含めるＴＡ値を算出する（ステップＳ３２）。そして、受信タイミング処理部３６は、ランダムアクセスプロシージャにおけるプリアンブル（メッセージ１）の受信に対して算出されるＴＡ値がゼロである（ＴＡ＝０）ときに（ステップＳ３４のＹｅｓ）、カウンタをインクリメントする（ステップＳ３６）。
【００５２】
受信タイミング処理部３６は、ステップＳ３２，Ｓ３４の処理を、移動局からプリアンブル（メッセージ１）を受信する度に行い、カウントアップを行う。そして、受信タイミング処理部３６は、カウント値が所定値βを超えた場合には（ステップＳ３８のＹｅｓ）、移動局からのメッセージまたは上りデータの受信タイミングをすべて所定時間αだけ遅延させる処理を行うとともに、カウンタをクリアする（ステップＳ４０）。
なお、図１４において、受信タイミングを所定時間αだけ遅延させる処理は、ステップＳ３８においてカウント値がβ以下となるまで継続して行われる。つまり、ステップＳ４０の後、ステップＳ３０に戻る。これは、所定時間αの値が小さ過ぎる場合には、１回の受信タイミングの遅延処理のみではＳ３８におけるカウント値がβ以下とはならない場合が考えられるためである。
【００５３】
（２−４）α，βの設定
本実施形態において、遅延量αは、第１の実施形態の遅延量αと同じである必要はないが、無線基地局装置内の処理能力を考慮して設定されてよい。例えば無線基地局装置では、１ｍｓのサブフレーム単位でタイミングが管理されており、８ｍｓ単位（８サブフレーム）でＨＡＲＱ(Hybrid-ARQ)の処理タイミングについて移動局のスケジューリングを行っている場合がある。そのため、無線基地局装置において受信タイミングに対する遅延量が大き過ぎて１ｍｓ内で処理が完了しない場合には、スケジューリングに影響が出る。よって、受信タイミングに遅延量が設定するに当たっては、１ｍｓのサブフレーム内で移動局の受信処理が完了するように遅延量を設定することが好ましい。つまり、遅延量をどれだけ大きく設定できるかについては、無線基地局装置の処理能力に依存する。
一方、本実施形態において、所定値βは、移動局の故障率と無線基地局装置のセル内に収容可能な移動局の数を乗算することで決定することができる。移動局の故障率、セル内に収容可能な移動局の数は、測定値あるいは測定値に基づく統計値等を用いてよい。
【００５４】
（３）第３の実施形態
以下、第３の実施形態について説明する。
【００５５】
（３−１）実施形態のタイミング調整方法
無線基地局装置のセル内に故障した移動局が存在し、この故障した移動局が常時、予定したタイミングよりも早いタイミングでメッセージおよび上りデータを送信することが考えられる。このとき、その故障した移動局が何度も無線基地局装置との無線リンクを確立することを試みる場合には、その都度、故障した移動局からのプリアンブル（メッセージ１）が無線基地局装置の処理基準タイミングよりも早くなることが考えられる。このような場合、第２の実施形態のタイミング調整方法では、同一の故障した移動局からのプリアンブル（メッセージ１）の送信によって、無線基地局装置の受信タイミング処理部３６のカウンタのカウント値が所定値βを超えることになる。これでは、特定の故障した移動局の動作によって、無線基地局装置が受信するすべてのメッセージおよび上りデータを遅延させることになって好ましくない。そこで、本実施形態のタイミング調整方法は、故障した移動局による影響を除外し、より確実に第２の実施形態のタイミング調整方法を実行できるようにすることを意図している。
【００５６】
（３−２）無線基地局装置の構成
本実施形態の無線基地局装置の構成について、図１５を参照して説明する。なお、本実施形態の移動局の構成は、図８に示したものと同一でよい。また、図１５に示した各構成要素において、図１３に示したものと同一の構成要素については、特記しない限り、同一の符号を付して重複説明を省略する。
【００５７】
図１５に示すように、本実施形態の無線基地局装置の構成は、図１３に示したものに対して、移動局情報格納部４５が追加される。
移動局情報格納部４５には、移動局の固有識別子と、対応する移動局からのプリアンブル（メッセージ１）の受信タイミングに基づくＴＡ値がゼロである回数とが、対応付けられて記録される。移動局情報格納部４５は例えば不揮発性メモリによって構成される。移動局の固有識別子は、例えばＬＴＥのランダムアクセスプロシージャではUE identifierでよいが、無線基地局装置が個々の移動局を識別可能なコードであれば如何なる形式の情報でもよい。
【００５８】
本実施形態の無線基地局装置において、受信データ処理部３４は、ランダムアクセスプロシージャにおいて移動局から取得する移動局の固有識別子を移動局情報格納部４５に登録する。
受信タイミング処理部３６は、受信タイミング検出部３５によって検出された移動局からのプリアンブル（メッセージ１）の受信タイミングと自装置の処理基準タイミングを比較する。そして、受信タイミング処理部３６は、プリアンブル（メッセージ１）の受信タイミングが処理基準タイミングよりも進んでいる場合には、ゼロのＴＡ値を送信データ処理部３８へ通知するとともに、移動局情報格納部４５内の移動局の固有識別子に対応する、ＴＡ値がゼロである回数をインクリメントする。
本実施形態の無線基地局装置において、受信タイミング処理部３６は、移動局情報格納部４５を参照し、ＴＡ値がゼロである回数が所定回数θを超える固有識別子が存在するか否か逐次判定する。また、受信タイミング処理部３６は、移動局情報格納部４５に記録されている固有識別子ごとの回数のデータを積算することで、ＴＡ＝０と指示すべき移動局の数を算出する。
【００５９】
（３−３）無線基地局装置の動作
次に、本実施形態の無線基地局装置の動作について、図１６を参照して説明する。図１６は、ランダムアクセスプロシージャにおける本実施形態の無線基地局装置の動作を示すフローチャートである。
【００６０】
図１６において先ず、無線基地局装置の受信タイミング検出部３５は、移動局からのプリアンブル（メッセージ１）のメッセージおよび上りデータの受信タイミングを検出する（ステップＳ５０）。無線基地局装置の受信タイミング処理部３６は、検出された受信タイミングと自装置の処理基準タイミングを比較し、各移動局宛のＴＡコマンドに含めるＴＡ値を算出する（ステップＳ５２）。そして、受信タイミング処理部３６は、ランダムアクセスプロシージャにおけるプリアンブル（メッセージ１）の受信に対して算出されるＴＡ値がゼロである（ＴＡ＝０）ときに（ステップＳ５４のＹｅｓ）、ステップＳ５６へ進む。
【００６１】
ステップＳ５６において、受信データ処理部３４は、受信元の移動局の固有識別子が移動局情報格納部４５に未登録であれば、その固有識別子を移動局情報格納部４５に登録する。受信タイミング処理部３６は、移動局情報格納部４５に登録された固有識別子に対応する、ＴＡ値がゼロである回数（以下では、回数ＣＡとする。）をインクリメントする。
次に、受信タイミング処理部３６は、移動局情報格納部４５内において、回数ＣＡが所定回数θを超える固有識別子（ＣＡ＞θ）が存在するか判定し（ステップＳ５８）、存在する場合にはその固有識別子の移動局が故障していると判断する（ステップＳ６０）。つまり、何度もプリアンブル（メッセージ１）の受信タイミングが無線基地局装置の処理基準タイミングよりも早くなるようなプリアンブルを送信する移動局は故障していると判断される。
【００６２】
次に、受信タイミング処理部３６は、移動局情報格納部４５を参照して、回数ＣＡについてＣＡ＜θを満たす固有識別子の数が所定数βよりも大きい場合には（ステップＳ６２のＹｅｓ）、以下の処理を行う。すなわち、受信タイミング処理部３６は、移動局からのメッセージまたは上りデータの受信タイミングをすべて所定時間αだけ遅延させる処理を行うとともに、ＣＡ＜θを満たす固有識別子の情報を移動局情報格納部４５から削除するか、あるいはＣＡ＜θを満たす固有識別子に対応するＣＡの値をクリアする（ステップＳ６４）。ＣＡ≧θを満たす回数ＣＡに対応する固有識別子については、対応するＣＡの値はクリアされず、その固有識別子は、その後のステップＳ６２における判定において除外される。そのため、本実施形態のタイミング調整方法は、故障した移動局による影響を除外し、より確実に第２の実施形態のタイミング調整方法を実行することができるようになる。
【００６３】
以上、本発明の実施形態について詳細に説明したが、本発明の移動局、無線基地局装置は上記実施形態に限定されず、本発明の主旨を逸脱しない範囲において、種々の改良や変更をしてもよいのは勿論である。
【００６４】
以上の各実施形態に関し、さらに以下の付記を開示する。
【００６５】
（付記１）
無線基地局装置宛に信号を送信する無線送信部と、
無線基地局装置から信号を受信する無線受信部と、
無線基地局装置と無線リンクを確立するに当たって、無線基地局装置から受信する信号の中から、無線基地局装置から指示される、移動局の送信タイミングの進み量（正の値またはゼロ）を取得するタイミング取得部と、
無線送信部から無線基地局装置宛に送信される信号の送信タイミングを調整するタイミング処理部であって、前記進み量が正の値のときには、新たに送信する信号の送信タイミングを前に送信した信号の送信タイミングよりも前記進み量だけ早め、前記進み量がゼロのときには、新たに送信する信号の送信タイミングを前に送信した信号の送信タイミングよりも所定時間だけ遅延させる、タイミング処理部と、
を備えた移動局。
【００６６】
（付記２）
前記タイミング処理部は、無線基地局装置から指示される進み量がゼロでなくなるまで、新たに送信する信号の送信タイミングを前に送信した信号の送信タイミングよりも所定時間だけ遅延させることを繰り返す、
付記１に記載された移動局。
【００６７】
（付記３）
移動局宛に信号を送信する無線送信部と、
移動局から信号を受信する無線受信部と、
各移動局から自装置と無線リンクを確立するための第１の信号を受信すると、その受信タイミングを検出し、各移動局に対して指示すべき送信タイミングの進み量（正の値またはゼロ）を検出するタイミング検出部と、
前記進み量をゼロとして指示すべき移動局の数が所定数を超えるか否か判定し、当該所定数を超える場合には、その後に各移動局から受信する信号の受信タイミングをすべて所定時間遅延させるタイミング処理部と、
を備えた無線基地局装置。
【００６８】
（付記４）
前記進み量をゼロとして指示すべき移動局の情報を格納する情報格納部、をさらに備え、
前記タイミング処理部は、前記情報格納部を参照して、特定の移動局に対して進み量をゼロとして指示する回数が所定回数を超える場合には、進み量をゼロとして指示すべき移動局の数が前記所定数を超えたか否かを判定するに当たって、前記特定の移動局を除外する、
付記３に記載された無線基地局装置。
【００６９】
（付記５）
移動局が無線基地局装置との間で無線リンクを確立するときのタイミング調整方法であって、
移動局は、無線基地局装置と無線リンクを確立するための第１の信号を無線基地局装置宛に送信し、
無線基地局装置は、前記第１の信号を受信すると、第１の信号の受信タイミングに基づいて移動局の送信タイミングの進み量（正の値またはゼロ）を指示する第２の信号を移動局宛に送信し、
移動局は、前記第２の信号を受信すると、前記進み量が正の値のときには、前記第１の信号よりも前記進み量だけ送信タイミングを早めて第３の信号を無線基地局装置宛に送信し、前記進み量がゼロのときには、前記第１の信号よりも所定時間だけ送信タイミングを遅延させて第３の信号を無線基地局装置宛に送信する、
ことを含む、タイミング調整方法。
【００７０】
（付記６）
移動局は、無線基地局装置から指示される進み量がゼロでなくなるまで、無線基地局装置宛に新たに送信する信号の送信タイミングを、前に送信した信号の送信タイミングよりも前記所定時間だけ遅延させることを繰り返すことをさらに含む、
付記５に記載されたタイミング調整方法。
【００７１】
（付記７）
無線基地局装置が複数の移動局との間で無線リンクを確立するときのタイミング調整方法であって、
各移動局は、無線基地局装置と無線リンクを確立するための第１の信号を無線基地局装置宛に送信し、
無線基地局装置は、各移動局から前記第１の信号を受信すると、第１の信号の受信タイミングに基づいて各移動局に対して指示すべき送信タイミングの進み量（正の値またはゼロ）を算出し、
無線基地局装置は、前記第１の信号に基づいて前記進み量をゼロとして指示すべき移動局の数が所定数を超える場合には、その後に各移動局から受信する信号の受信タイミングをすべて所定時間遅延させる、
ことを含む、タイミング調整方法。
【００７２】
（付記８）
特定の移動局に対して前記進み量をゼロとして指示する回数が所定回数を超える場合には、進み量をゼロとして指示すべき移動局の数が前記所定数を超えたか否かを判定するに当たって、前記特定の移動局を除外する、
ことをさらに含む、付記７に記載されたタイミング調整方法。
【符号の説明】
【００７３】
ＵＥ…移動局
１１…受信アンテナ
１２…無線受信部
１３…復調部
１４…受信データ処理部
１５…ＴＡコマンド検出部
１６…送信タイミング処理部
１７…送信データ処理部
１８…変調部
１９…送信タイミング制御部
２０…無線送信部
２１…送信アンテナ
ｅＮＢ…無線基地局装置
３１…受信アンテナ
３２…無線受信部
３３…復調部
３４…受信データ処理部
３５…受信タイミング検出部
３６…受信タイミング処理部
３７…受信タイミング制御部
３８…送信データ処理部
３９…変調部
４０…無線送信部
４１…送信アンテナ
４５…移動局情報格納部
【図１】
0005549561.tif 000002
【図２】
0005549561.tif 000003
【図３】
0005549561.tif 000004
【図４】
0005549561.tif 000005
【図５】
0005549561.tif 000006
【図６】
0005549561.tif 000007
【図７】
0005549561.tif 000008
【図８】
0005549561.tif 000009
【図９】
0005549561.tif 000010
【図１０】
0005549561.tif 000011
【図１１】
0005549561.tif 000012
【図１２】
0005549561.tif 000013
【図１３】
0005549561.tif 000014
【図１４】
0005549561.tif 000015
【図１５】
0005549561.tif 000016
【図１６】
0005549561.tif 000017